(57)【要約】【課題】コンクリートの収縮・膨張に伴って目地溝の幅が変化した場合においても目地溝内部で目地材が沈下してしまわないようにする。また溝幅が狭く変化したときに目地材が圧縮されて中間部分が上向きに突き出してしまわないようにする。【解決手段】隣合うコンクリート版１２の間の目地溝１４に挿入される目地材を、中空のゴムブロック２８を用いて溝底に到るまで目地溝１４を全体的に埋める伸縮目地材１６として構成する。そのゴムブロック２８は、溝幅方向である左右方向に圧縮されたとき、左端，右端の成形部３０を真中の成形部３０よりも左右方向に弾性的に圧縮変形し易くしておき、溝幅が狭くなったときにそれら左，右の成形部３０を優先的に圧縮変形させることによって、真中の成形部３０が上向きに押し上げられないようにする。【選択図】        図１２
2004150133.tif 000002
【特許請求の範囲】
【請求項１】
隣合うコンクリート版の間の目地溝に挿入されて該目地溝を塞ぐ伸縮目地材であって、
中空のゴムブロックを用いて溝底に到るまで該目地溝を全体的に埋めるように構成したことを特徴とするコンクリート舗装用の伸縮目地材。
【請求項２】
隣合うコンクリート版の間の目地溝に挿入されて該目地溝を塞ぐ伸縮目地材であって、
中空のゴムブロックを用いて溝底に到るまで該目地溝を全体的に埋めるように構成してあり、且つ何れかのゴムブロック若しくは何れのゴムブロックについても、一方の溝側面と他方の溝側面との間に挟まれる部分が溝幅方向に連続した一体成形品として構成してあることを特徴とするコンクリート舗装用の伸縮目地材。
【請求項３】
請求項２において、前記目地溝内に位置する前記ゴムブロック全体が一体成形品として構成してあることを特徴とするコンクリート舗装用の伸縮目地材。
【請求項４】
請求項１，２の何れかにおいて、前記目地溝の内部において溝深さ方向に前記ゴムブロックが複数段に段積みしてあり、且つ各段のゴムブロックの何れもが溝幅方向に連続した一体成形品として構成してあることを特徴とするコンクリート舗装用の伸縮目地材。
【請求項５】
請求項４において、前記一体成形品であるゴムブロックが溝深さ方向に２段又は３段に段積みしてあることを特徴とするコンクリート舗装用の伸縮目地材。
【請求項６】
請求項１〜５の何れかにおいて、前記ゴムブロックが一対の側壁部と上壁部と下壁部とを備えた中空枠状の成形部を目地材の構成単位として有しており、該中空枠状の成形部が溝幅方向及び溝深さ方向に複数並んでいることを特徴とするコンクリート舗装用の伸縮目地材。
【請求項７】
隣合うコンクリート版の間の目地溝に挿入されて該目地溝の少なくとも開口を塞ぐ伸縮目地材であって、
中空のゴムブロックを用いて構成してあり、且つ該ゴムブロックには、一対の側壁部と上壁部と下壁部とを備えた中空枠状の成形部が目地材の構成単位として設けてあって、該成形部が溝幅方向に３つ以上並べてあり、且つ左端の成形部と右端の成形部とに対して、それらの間に挟まれた中間の成形部が溝幅方向に弾性的に圧縮変形し易く構成してあることを特徴とするコンクリート舗装用の伸縮目地材。
【請求項８】
請求項７において、前記中間の成形部における前記一対の側壁部を溝幅方向に連結する部分の全体若しくは一部の肉厚が、左端の成形部及び右端の成形部の対応する部分に対して薄く形成してあることを特徴とするコンクリート舗装用の伸縮目地材。
【請求項９】
隣合うコンクリート版の間の目地溝に挿入されて該目地溝の少なくとも開口を塞ぐ伸縮目地材であって、
中空のゴムブロックを用いて構成してあり、且つ該ゴムブロックには一対の側壁部と上壁部と下壁部とを備えた中空枠状の成形部が目地材の構成単位として設けてあって、該成形部が溝幅方向に３つ以上並べてあり、且つ左端の成形部と右端の成形部とがそれらの間に挟まれた中間の成形部に対し溝幅方向に弾性的に圧縮変形し易く構成してあることを特徴とするコンクリート舗装用の伸縮目地材。
【請求項１０】
請求項９において、前記ゴムブロックは上下方向の中央位置を境としてその上部と下部とが上下方向に対称形状をなしていることを特徴とするコンクリート舗装用の伸縮目地材。
【請求項１１】
隣合うコンクリート版の間の目地溝に挿入されて該目地溝を塞ぐ伸縮目地材であって、
中空のゴムブロックを用いて溝底に到るまで該目地溝を全体的に埋めるように構成してあり、且つ該ゴムブロックは溝幅方向に圧縮されたときに一方の溝側面と他方の溝側面との間の中間部分に対し下向きの力を及ぼす形状に構成してあることを特徴とするコンクリート舗装用の伸縮目地材。
【請求項１２】
請求項１１において、前記ゴムブロックには一対の側壁部と上壁部と下壁部とを備えた中空枠状の成形部が目地材の構成単位として設けてあり、該成形部が溝幅方向に３つ以上並べてあって、前記圧縮時に左端の成形部と右端の成形部とが、それらの間の中間の成形部に対して下向きの力を及ぼすように構成してあることを特徴とするコンクリート舗装用の伸縮目地材。
【請求項１３】
請求項１２において、前記左端の成形部と右端の成形部とには、前記中間の成形部に向って斜め下向きに延びるリブが設けてあり、該リブの作用により前記下向きの力を及ぼすように構成してあることを特徴とするコンクリート舗装用の伸縮目地材。
【請求項１４】
請求項１〜１３の何れかにおいて、前記コンクリート版がプレストレストコンクリート版であることを特徴とするコンクリート舗装用の伸縮目地材。
【発明の詳細な説明】
【０００１】
【発明の属する技術分野】
この発明は、中空のゴムブロックを用いて構成され、隣合うコンクリート版の間の目地溝に挿入されるコンクリート舗装用の伸縮目地材に関する。
【０００２】
【従来の技術】
従来、コンクリート舗装においてはコンクリート版とコンクリート版との間の目地溝にアスファルト系の目地材を詰めることが行われていた。
しかしながらこのアスファルト系の目地材ではコンクリートの大きな伸縮に追従できない問題がある。
【０００３】
例えば飛行機の乗客・貨物の積降し等を行う空港エプロンでは大型のプレストレストコンクリート版（内部に埋設したＰＣ鋼材を緊張してコンクリート版に予め応力をかけてあるもので、以下ＰＣ版とする）を敷き並べてコンクリート舗装を行っているが、このような大型のＰＣ版の場合には、施工後のコンクリート収縮や夏冬等の季節ごとの収縮・膨張量が大きく、上記のアスファルト系目地材ではこれに追従することができない。
【０００４】
そこでコンクリート舗装用の目地材を、中空形状の弾性を有するゴムブロックで構成し、これをコンクリート版とコンクリート版との間の目地溝に圧縮状態で挿入するといったことが提案されている（下記特許文献１）。
【０００５】
【特許文献１】
実開平５−１６８０８号公報
【０００６】
図１８はその具体例を示している。
同図において２００は路盤、２０２はＰＣ版、２０４はそれらＰＣ版２０２と２０２との間に形成された目地溝、２０６はＰＣ版２０２の端面に装着された保持金具であって、２０８は中空形状の弾性を有するゴムブロックから成る伸縮目地材である。
【０００７】
これら保持金具２０６及び伸縮目地材２０８は、それぞれ凹溝２１０及び突条２１２を有しており、それらが嵌り合うことによって、伸縮目地材２０８が保持金具２０６により目地溝２０４の開口を塞ぐ状態に保持されている。
【０００８】
２１４は目地溝２０４の下部に挿入配置されたバックアップ材で、このバックアップ材２１４により、伸縮目地材２０８が下側から支えられバックアップされている。
ここでゴムブロックはＣＲ（クロロプレン）ゴムが用いられており、またバックアップ材２１４は発泡ポリエチレンが用いられている。
【０００９】
【発明が解決しようとする課題】
上記ゴムブロックから成る伸縮目地材２０８は、図１８（Ａ）（Ｉ）に示しているように左右方向、即ち目地溝２０４の溝幅方向に圧縮状態で施工され、従ってＰＣ版２０２の収縮により目地溝２０４の溝幅が広がったとき、同方向に自身の幅を広げてその溝幅の変化に追従する。
【００１０】
しかしながらこの伸縮目地材２０８の場合には、左右方向に形状が変化するとこれに伴って図１８（ＩＩ）に示しているように高さが変化してしまい、伸縮目地材２０８とバックアップ材２１４との間に隙間ができてしまう。
このためバックアップ材２１４が何らかの力で図１８（Ｂ）に示しているように倒れてしまって、伸縮目地材２０８の支えがなくなった状態となり、これにより伸縮目地材２０８が下向の荷重等によって目地溝２０４内部に沈み込んでしまって、コンクリート舗装面がこの目地溝２０４の部分において部分的に凹となり、荷物を運ぶキャリアカーの車輪やタラップ用の車輪がそこに落ち込んでしまうといった問題を生ずる。
【００１１】
【課題を解決するための手段】
本発明のコンクリート舗装用の伸縮目地材はこのような課題を解決するためになされたものである。
而して請求項１のものは、隣合うコンクリート版の間の目地溝に挿入されて該目地溝を塞ぐ伸縮目地材であって、中空のゴムブロックを用いて溝底に到るまで該目地溝を全体的に埋めるように構成したことを特徴とする。
【００１２】
請求項２のものは、隣合うコンクリート版の間の目地溝に挿入されて該目地溝を塞ぐ伸縮目地材であって、中空のゴムブロックを用いて溝底に到るまで該目地溝を全体的に埋めるように構成してあり、且つ何れかのゴムブロック若しくは何れのゴムブロックについても、一方の溝側面と他方の溝側面との間に挟まれる部分が溝幅方向に連続した一体成形品として構成してあることを特徴とする。
【００１３】
請求項３のものは、請求項２において、前記目地溝内に位置する前記ゴムブロック全体が一体成形品として構成してあることを特徴とする。
【００１４】
請求項４のものは、請求項１，２の何れかにおいて、前記目地溝の内部において溝深さ方向に前記ゴムブロックが複数段に段積みしてあり、且つ各段のゴムブロックの何れもが溝幅方向に連続した一体成形品として構成してあることを特徴とする。
【００１５】
請求項５のものは、請求項４において、前記一体成形品であるゴムブロックが溝深さ方向に２段又は３段に段積みしてあることを特徴とする。
【００１６】
請求項６のものは、請求項１〜５の何れかにおいて、前記ゴムブロックが一対の側壁部と上壁部と下壁部とを備えた中空枠状の成形部を目地材の構成単位として有しており、該中空枠状の成形部が溝幅方向及び溝深さ方向に複数並んでいることを特徴とする。
【００１７】
請求項７のものは、隣合うコンクリート版の間の目地溝に挿入されて該目地溝の少なくとも開口を塞ぐ伸縮目地材であって、中空のゴムブロックを用いて構成してあり、且つ該ゴムブロックには、一対の側壁部と上壁部と下壁部とを備えた中空枠状の成形部が目地材の構成単位として設けてあって、該成形部が溝幅方向に３つ以上並べてあり、且つ左端の成形部と右端の成形部とに対して、それらの間に挟まれた中間の成形部が溝幅方向に弾性的に圧縮変形し易く構成してあることを特徴とする。
【００１８】
請求項８のものは、請求項７において、前記中間の成形部における前記一対の側壁部を溝幅方向に連結する部分の全体若しくは一部の肉厚が、左端の成形部及び右端の成形部の対応する部分に対して薄く形成してあることを特徴とする。
【００１９】
請求項９のものは、隣合うコンクリート版の間の目地溝に挿入されて該目地溝の少なくとも開口を塞ぐ伸縮目地材であって、中空のゴムブロックを用いて構成してあり、且つ該ゴムブロックには一対の側壁部と上壁部と下壁部とを備えた中空枠状の成形部が目地材の構成単位として設けてあって、該成形部が溝幅方向に３つ以上並べてあり、且つ左端の成形部と右端の成形部とがそれらの間に挟まれた中間の成形部に対し溝幅方向に弾性的に圧縮変形し易く構成してあることを特徴とする。
【００２０】
請求項１０のものは、請求項９において、前記ゴムブロックは上下方向の中央位置を境としてその上部と下部とが上下方向に対称形状をなしていることを特徴とする。
【００２１】
請求項１１のものは、隣合うコンクリート版の間の目地溝に挿入されて該目地溝を塞ぐ伸縮目地材であって、中空のゴムブロックを用いて溝底に到るまで該目地溝を全体的に埋めるように構成してあり、且つ該ゴムブロックは溝幅方向に圧縮されたときに一方の溝側面と他方の溝側面との間の中間部分に対し下向きの力を及ぼす形状に構成してあることを特徴とする。
【００２２】
請求項１２のものは、請求項１１において、前記ゴムブロックには一対の側壁部と上壁部と下壁部とを備えた中空枠状の成形部が目地材の構成単位として設けてあり、該成形部が溝幅方向に３つ以上並べてあって、前記圧縮時に左端の成形部と右端の成形部とが、それらの間の中間の成形部に対して下向きの力を及ぼすように構成してあることを特徴とする。
【００２３】
請求項１３のものは、請求項１２において、前記左端の成形部と右端の成形部とには、前記中間の成形部に向って斜め下向きに延びるリブが設けてあり、該リブの作用により前記下向きの力を及ぼすように構成してあることを特徴とする。
【００２４】
請求項１４のものは、請求項１〜１３の何れかにおいて、前記コンクリート版がプレストレストコンクリート版であることを特徴とする。
【００２５】
【作用及び発明の効果】
以上のように請求項１のものは、中空のゴムブロックを用いて溝底に到るまで目地溝を全体的に埋めるようにコンクリート舗装用の伸縮目地材を構成したもので、このようにすれば、従来用いられていたバックアップ材を不要となすことができ、しかもバックアップ材の倒れによって伸縮目地材が沈下するといった不都合を回避することが可能となる。
【００２６】
ところで、中空のゴムブロックを用いて伸縮目地材を構成し、目地溝を全体的に埋めるに際して様々な態様があり得る。
図１はその一例を示している。同図において１０は路盤、１２は互いに隣合うコンクリート版（ここではＰＣ版）、１４はそれら隣合うＰＣ版１２と１２との間に形成された目地溝、１６はその目地溝１４に挿入された伸縮目地材である。
【００２７】
ここで伸縮目地材１６は一対の側壁部２０，２０と、各側壁部２０の上端部を溝幅方向である左右方向に連結する上壁部２２と、一対の側壁部２０，２０の下端部を左右方向に連結する下壁部２４とを有して、中空の枠状且つ筒状をなす成形部１８を伸縮目地材１６の構成単位として複数有しており、そして各成形部１８がここでは目地幅方向である左右方向に３列に、また溝深さ方向である上下方向に３段に配列し並べられている。
【００２８】
各成形部１８は、図１（Ｂ）に示しているように筒状の独立したゴムブロックとして、即ち筒状の一体成形品として構成されており、それら成形部（ゴムブロック）１８の１つ１つが左右及び上下に並べられて全体の伸縮目地材１６を構成している。
【００２９】
ところでこの伸縮目地材１６は、図１８に示す伸縮目地材と異なってバックアップ材２１４を必要とせず、またＰＣ版の膨張・収縮に伴って目地溝１４の溝幅が変化した場合にも伸縮目地材１６が沈下するといった不都合を生じない利点を有する反面、次のような問題のあることが判明した。
【００３０】
即ちＰＣ版１２が膨張・収縮を繰返す中で、図２に示しているように伸縮目地材１６における上段の成形部（ゴムブロック）１８が上向きに突き出す（浮き上る）現象を生じることがある、といった問題のあることが判明した。
【００３１】
このように真中の、即ち左右中間部の成形部（ゴムブロック）１８が上向きに突き出す現象は、冬場等に一旦収縮したＰＣ版が夏場等に膨張して伸縮目地材１６が左右方向に圧縮されたとき、中間の成形部１８に対し上向きの力が働いたことによるものと考えられるが、そのような上向きの力が働く具体的な理由については現段階で未だ明確ではない。
【００３２】
この上向きの力の発生は、一対のＰＣ版の側面即ち目地溝の一対の溝側面が厳密に垂直でなく、ある程度の勾配を持っていてその傾斜面の作用により、或いは伸縮目地材１６を目地溝に充填施工する際にその施工にばらつきがあったりして上手く施工できていなかったりなど様々な要因が考えられるが、何れにしてもかかる伸縮目地材としてはそのような現象の発生は好ましくない。
【００３３】
また図１に示す伸縮目地材１６の場合、独立したゴムブロックとして構成された成形部１８を左右方向に３列、上下方向に３段、合計で９個必要で、伸縮目地材１６に要するコストが高くなってしまうといった問題も有する。
【００３４】
ここにおいて請求項２の伸縮目地材は、中空のゴムブロックを用いて溝底に到るまで目地溝を全体的に埋めるようにした上、一方の溝側面と他方の溝側面との間に挟まれる部分を溝幅方向である左右方向に連続した一体成形品として構成したもので、このようにしておけば、たとえ伸縮目地材の左右方向中間部分に対して上向きの力が働いたとしても、その中間部分が左右の部分から分離して上に突き出してしまうといったことを良好に防止することができる。
またこのように一対の溝側面間に挟まれる部分全体を左右方向に連続した一体成形品として構成することで、伸縮目地材を安価に製造することができる。
【００３５】
ここで上記伸縮目地材は、目地溝内部に位置する部分全体を一体成形品として構成しておくことができる（請求項３）。
このようにしておけば、伸縮目地材の製造コストを更に安価となすことができるとともに、左右方向中間部が上向きに突き出す現象をより有効に防止することができる。
【００３６】
一方で本発明においては、ゴムブロックを目地溝の内部において溝深さ方向である上下方向に複数段に段積みしておき、各段ごとにゴムブロックを左右方向に連続した一体成形品として構成しておくこともできる（請求項４）。
その場合において一体成形品であるゴムブロックを、上下方向に２段に又は３段に段積みしておくことができる（請求項５）。
【００３７】
これら請求項１〜５において、ゴムブロックには一対の側壁部と上壁部と下壁部とを備えた中空枠状の成形部を伸縮目地材の構成単位として設けておき、その成形部が左右方向及び上下方向に複数並んだ状態に伸縮目地材を構成しておくことができる（請求項６）。
【００３８】
次に請求項７のものは、中空枠状の成形部を左右方向に３つ以上並べるようにし、そして左端の成形部と右端の成形部とに対して、それらの間に挟まれた中間の成形部を左右方向に弾性的に圧縮変形し易くしたものである。
【００３９】
このようにしておけば、コンクリート版の膨張に伴って目地溝内の伸縮目地材に対し左右方向の圧縮力が働いたとき、中間の成形部の弾性的な圧縮変形によってその圧縮力が良く吸収され、従って中間の成形部に対して上向きの力が働くのが抑制ないし解消され、これによりその上向きの力によって中間の成形部が上向きに突き出す現象を良好に抑制できる。
【００４０】
この場合においてその中間の成形部における一対の側壁部の間の部分、即ち一対の側壁部を左右方向に連結する部分の肉厚を、左端の成形部及び右端の成形部の対応する部分に対し薄くし、これによって中間の成形部を左端の成形部及び右端の成形部に対し、左右方向に圧縮変形し易いものとなしておくことができる（請求項８）。
【００４１】
一方において請求項９のものは、左端の成形部と右端の成形部とを、それらの間に挟まれた中間の成形部に対して左右方向に弾性的に圧縮変形し易く構成したもので、この伸縮目地材の場合、目地溝の溝幅が狭小変化することによって伸縮目地材に対し左右方向の圧縮力が働いたとき、左端の成形部と右端の成形部とが優先的に変形することによって、溝幅の狭小変化による圧縮力をその変形によって良好に吸収することができる。
これにより中間部分の成形部が上向きに突き出してしまうのを良好に抑制することができる。
【００４２】
この場合においてゴムブロックは、上下方向の中央位置を境としてその上部と下部とが上下方向に対称形状をなすようにしておくことができる（請求項１０）。
このようになしておいた場合、目地溝の溝幅が狭小変化することによって伸縮目地材に対し左右方向の圧縮力が働いた場合であっても、中間の成形部はもとより左端の成形部及び右端の成形部全体に対して上向きの力及び下向きの力が働くのを良好に抑制することができる。
【００４３】
次に請求項１１のものは、中空のゴムブロックを用いて溝底に到るまで目地溝を全体的に埋めるようになすとともに、そのゴムブロックを、目地溝内部で左右方向に圧縮されたときに左右の中間部分に対し下向きの力を及ぼす形状に伸縮目地材を構成したもので、この場合においても、コンクリート版の膨張に伴い目地溝の溝幅が減少して、伸縮目地材に左右方向の圧縮力が働いても、上向きの力によって伸縮目地材の左右中間部分が上向きに突き出す現象を良好に抑制することができる。
【００４４】
この場合において、ゴムブロックに中空枠状の成形部を設けておいてその成形部を左右方向に３つ以上並べ、左端と右端との間の中間の成形部に対し下向きの力を及ぼすように伸縮目地材を構成しておくことができる（請求項１２）。
【００４５】
更にこの場合において左端と右端との各成形部に、中間の成形部に向って斜め下向きに延びるリブを備えておき、圧縮時においてそのリブの作用により中間の成形部に対し下向きの力を発生させるようになすことができる（請求項１３）。このようにすることで簡単に中間の成形部に対し、左端の成形部と右端の成形部とから下向きの力を及ぼすようになすことができる。
【００４６】
本発明は、特にＰＣ版を用いたコンクリート舗装面の伸縮目地材として好適に適用可能なものである（請求項１４）。
【００４７】
【実施例】
次に本発明の実施例を図面に基づいて詳しく説明する。
図３は空港エプロンのコンクリート舗装部分の要部の構造を示したもので、図中１０は路盤、１２は相隣合うように路盤１０上に敷設されたＰＣ版（プレストレストコンクリート版）であり、１４はそれらの間に形成された目地溝、１６はその目地溝に充填された伸縮目地材（以下単に目地材とする）である。
目地材１６は、目地溝１４の延びる方向に長手状をなす筒状のゴムブロック２８を、図４に示しているように溝の深さ方向である上下方向に３段に段積みして構成してある。
【００４８】
尚、図３は目地溝１４が設定最大幅（ここではＷ＝１２０ｍｍ）のときの状態を示している。
上記目地材１６は、図３の設定最大幅のときにも左右方向、即ち溝幅方向に弾性圧縮された状態にある。
尚目地溝１４の設定最小幅は８０ｍｍである。また溝深さは２５０ｍｍである。
【００４９】
図５は目地材１６におけるゴムブロック２８の成形形状、即ち成形後の自由な状態での形状を示している。
同図に示しているようにゴムブロック２８は、その断面形態が目地材１６の構成単位としての中空枠状の成形部３０を左右方向に３つ並べた形態をなしている。
即ちゴムブロック２８は左右方向に並んだ３つの成形部３０を有していて、それらが一体に成形されている。
尚この例においてゴムブロック２８は左右方向の寸法Ｗ１が１３６ｍｍ、高さｈ０が８２ｍｍである。
【００５０】
各成形部３０は、それぞれ一対の側壁部２０と２０との上端部及び下端部を左右方向に連結する上壁部２２及び下壁部２４を有しており、全体としてそれぞれが中空枠状をなしている。
尚、左端の成形部３０における図中右側の側壁部２０は、同時に真中の成形部３０の側壁部２０を構成しており、また右端の成形部３０における図中左側の側壁部２０もまた、真中の側壁部３０の側壁部２０を構成している。即ち図中、中間の２つの側壁部２０は、それぞれ隣合う成形部３０同士で共通のものとされている。
【００５１】
この例において、上壁部２２は全体的に下に凸をなす屈曲形状をなしている。詳しくはこの上壁部２２は、各側壁部２０から幅方向中央に向って下向きに延びる一対の斜下り部３２を有しており、それらが幅方向中央で繋がってそこに曲りの変化する変曲部３４を形成している。
【００５２】
同様に下壁部２４も各側壁部２０の各下端から幅方向中央に向って斜め上向きに延びる一対の斜上り部３６を有しており、それらが幅方向中央で繋がってそこに曲りの変化する変曲部３８を形成している。
【００５３】
本例において、３つの各成形部３０はそれぞれ左右の側壁部２０を上下方向中間部で互いに左右方向に連結するリブ４０，４２を有している。
而して真中の成形部３０におけるリブ４２は、その下壁部２４と略同様の形状をなしている。
【００５４】
即ちこの真中の成形部３０におけるリブ４２は、側壁部２０から幅方向中央に向って上向きに延びる一対の斜上り部４４を有しており、それらが幅方向中央で繋がってそこに曲りの変化する変曲部４６を形成している。
【００５５】
一方左端の成形部３０におけるリブ４０は、図中左側の側壁部２０、即ち目地溝１４における一方の溝側面に所定の摩擦力で弾性接触する側壁部２０から図中右向きに、つまり真中の成形部３０に向って斜め下向きに延びる形態で設けられている。
【００５６】
他方図中右端の成形部３０におけるリブ４０は、図中右側の側壁部２０、即ち目地溝１４における他方の溝側面に所定の摩擦力で弾性接触する側壁部２０から図中左向きに、つまり真中の成形部３０に向って斜め下向きに延びる形態で設けられている。
【００５７】
本例においてはまた、図中左端の成形部３０における上壁部２２，下壁部２４及びリブ４０と、右端の成形部３０における上壁部２２，下壁部２４及びリブ４０に対し、真中の成形部３０における上壁部２２，下壁部２４及びリブ４２の肉厚が薄くされている。
【００５８】
具体的には、左端の成形部３０及び右端の成形部３０におけるリブ４０の肉厚ａ＝４ｍｍに対し、真中の成形部３０のリブ４２の肉厚ｂ＝３ｍｍとされている。
また左端と右端の成形部３０における上壁部２２，下壁部２４における変曲部３４の肉厚ａ＝４ｍｍに対し、真中の成形部３０における上壁部２２，下壁部２４における変曲部３４，３８の肉厚ｂ＝３ｍｍとされている。
【００５９】
尚各成形部３０における上壁部２２，下壁部２４は、変曲部３４，３８における肉厚が最も小さく、そこから斜下り部３２又は斜上り部３６の付根にかけて肉厚が漸次厚くなっている。
また各側壁部２０の肉厚は何れも同じ肉厚で、ここではその肉厚は７ｍｍである。
この例において、ゴムブロック２８は押出成形品が用いられており、そのゴム材質としてＣＲ（クロロプレン）ゴムが用いられている。
【００６０】
本例では、上記のように左右の３つの成形部３０が一体に成形されたゴムブロック２８を、図４に示しているように目地溝１４内部に挿入してこれを目地溝１４内部において３段に段積みし、以って目地溝１４を溝底に到るまで全体的に埋める目地材１６を構成する。
尚各ゴムブロック２８は、目地溝１４に挿入した状態において左右方向に所定寸法弾性圧縮した状態となる。
【００６１】
この目地材１６はＰＣ版１２の膨張・収縮に伴って目地溝１４の溝幅が変化したとき、目地材１６がその弾性に基づいて左右方向に弾性的に圧縮変形し、その溝幅の変化を吸収する。
【００６２】
而して本例の目地材１６の場合、図７に示しているようにＰＣ版１２の膨張に伴って目地溝１４の目地幅が狭く変化し、これにより目地材１６が左右方向に弾性圧縮されたとき、左，右の成形部３０に対して真中の成形部３０が優先的に左右方向に弾性的に圧縮変形して、目地材１６に作用する弾性圧縮力を良好に吸収する。
これにより真中の成形部３０に対し、目地材１６に働く弾性圧縮力によって上向きの力が働いて真中の成形部３０が上向きに突き出す現象を良好に抑制することができる。
【００６３】
更にまた本例の目地材１６においては、各ゴムブロック２８における左端の成形部３０と右端の成形部３０に斜めのリブ４０が設けられていて、図６に示しているようにゴムブロック２８が左右方向に弾性的に圧縮変形したときそれらリブ４０によって真中の成形部３０に対し下向きの力を及ぼすため、このことによっても真中の成形部３０が上向きに突き出す現象が良好に抑制される。
【００６４】
加えて本例の目地材１６にあっては、上下３段に段積みされた各ゴムブロック２８がそれぞれ一体成形品として構成されているため、即ち目地溝１４における一方の溝側面と他方の側面との間で左右方向に挟まれた部分全体が左右方向に連続した一体成形品として構成されているため、ＰＣ版１２の膨張に伴って目地溝１４の溝幅が狭くなった場合においても、真中の成形部３０が左端の成形部３０及び右端の成形部３０から分離して上向きに突き出してしまう現象を良好に抑制することができる。
【００６５】
また本例の目地材１６は、溝底に到るまで目地溝１４を全体的に目地材１６で埋めているため、図１８に示す目地材と異なってバックアップ材を必要とせず、しかもバックアップ材の倒れによって目地材１６が目地溝１４内部で沈下するといった問題も生じない。
【００６６】
また本例では上下方向に３段を成す目地材１６の各段がそれぞれ一体成形されているため、即ち各段において左右方向に並んだ中空枠状の３つの成形部３０が一体成形されているため、それらを個々に成形して目地溝１４内部に挿入し、目地材１６を構成する場合に比べて製造コストを安価となすことができる。
【００６７】
以上の例では、ゴムブロック２８における左端の成形部３０と右端の成形部３０とに、それぞれ左右方向中央部に向って斜めに延びるリブ４０を設けているが、図８に示す実施例のように左端の成形部３０及び右端の成形部３０においても、真中の成形部３０と同様のリブ４２を、斜めのリブ４０に代えて設けておくことも可能である。
【００６８】
図９及び図１０は本発明の他の実施例を示している。
図示のようにこの例は、ゴムブロック２８の高さｈ０を上記実施例よりも高くして、かかるゴムブロック２８を目地溝１４内部に２段に挿入し、目地材１６を構成するようになした例である。
この例においてゴムブロック２８における高さｈ０は１２４ｍｍとされている。
【００６９】
この例では、ゴムブロック２８の高さｈ０が高くされるのに伴って各成形部３０に上下２段にリブが設けられている。
即ち真中の成形部３０には、上向きに凸をなすリブ４２と下向きに凸をなすリブ４８とが上下に所定間隔を隔てて設けられている。
【００７０】
ここで下向きに凸をなすリブ４８は、一対の斜下り部５０と変曲部５２とを有している。
一方左端の成形部３０は、図中右方向に向って斜めに下がるリブ５４と、逆に右方向に向って斜めに上がるリブ５６とを有し、同様に右端の成形部３０も図中左方向に向って斜めに下がるリブ５４と、逆に斜めに上がるリブ５６とが上下に所定距離を隔てて設けられている。
【００７１】
この例の場合、左端の成形部３０と右端の成形部３０とにおいて、リブ５４により真中の成形部３０に対して及ぼされる下向きの力と、リブ５６によって及ぼされる上向きの力とが相殺される結果、特に真中の成形部３０に対し下向きの力が及ぼされることはない。
【００７２】
但しこの実施例においても、左端の成形部３０及び右端の成形部３０におけるリブ５４，５６の肉厚ａ（ａ＝４ｍｍ）の方が、真中の成形部３０におけるリブ４２，４８における肉厚ｂ（ｂ＝３ｍｍ）よりも大とされている結果、更にはまた左端の成形部３０及び右端の成形部３０の上壁部２２，下壁部２４の肉厚が真中の成形部３０の対応する上壁部２２，下壁部２４の肉厚よりも大とされている結果、真中の成形部３０が左，右の成形部３０，３０よりも左右方向に弾性変形し易いものとなっている。
【００７３】
また左右方向に３つ並んだ各成形部３０が一体成形品として構成されているため、上記実施例と同様に目地溝１４の溝幅が狭く変化した場合であっても、真中の成形部３０が上向きに突き出す現象が良好に抑制される。
【００７４】
更にまた本例の目地材１６の場合、ゴムブロック２８が上下２段構成とされているため、その製造コストをより安価となすことができる。
尚この例の場合、ゴムブロック２８は上下方向の中央位置を境としてその上部と下部とが上下方向に対称形状をなしている。
【００７５】
図１１は本発明の更に他の実施例を示している。
この例は目地溝１４内部に位置するゴムブロック２８全体を一体成形品として構成し、以って目地材１６を構成した例である。
このようになした場合目地材１６の製造コストを更に安価となすことができる。
また目地材１６に加わる圧縮力によって中間部分が上向きに突き出す現象をより良好に抑制することができる。
【００７６】
次に図１２〜図１４は本発明の他の実施例を示している。
この例もまた、ゴムブロック２８を目地溝１４内部に３段に段積みし、目地溝１４内を溝底に到るまでゴムブロック２８で埋めるようにして目地材１６を構成するようにした例である。
【００７７】
図１４は本例におけるゴムブロック２８の構造を具体的に示したものである。同図に示しているように、この例ではゴムブロック２８が左右に並んだ３つのゴム成形部３０を有しており、それらが左右方向に一体成形されている点で上記実施例と同様である。
【００７８】
但しこの例では、真中の成形部３０の内部に楕円形状部６０が設けられている。
この楕円形状部６０は、真中の成形部３０における上下の変曲部３４，３８及び左右の側壁部２０の上下中間部を結ぶようにして設けられている。
【００７９】
図中６２は、その楕円形状部６０を形成する円弧状部を表している。
ここで４つの円弧状部６２は、側壁部２０の上下中間部と変曲部３４又は３８とを結ぶように略円弧状に延びている。
これら円弧状部６２は、隣接する斜下り部３２や斜上り部３６及び側壁部２０の一部とともに略三角形状の部分を形成している。
【００８０】
一方左端の成形部３０には、斜下り部３２及び斜上り部３６をそれぞれ延長した形態のリブ６４，６６が設けられており、それらリブ６４，６６の先端部が、真中の成形部３０における図中左側の側壁部２０（この側壁部２０は左端の成形部３０における右側の側壁部ともなっている）に繋がっている。
ここで斜下り部３２，斜上り部３６及び一対の斜めのリブ６４，６６は、全体として図中左側の側壁部２０とともに三角形状部を形成している。
【００８１】
一方右端の成形部３０においても、斜下り部３２，斜上り部３６をそれぞれ延長した形態でリブ６４，６６が設けられており、それらリブ６４，６６の先端部が、真中の成形部３０における図中右側の側壁部２０（この側壁部２０は右端の成形部３０における左側の側壁部ともなっている）に繋がれている。
この右端の成形部３０におけるリブ６４，６６もまた、斜下り部３２，斜上り部３６及び図中右端の側壁部２０とともに三角形状部を形成している。
【００８２】
以上の説明から明らかなように本例のゴムブロック２８は、上下方向の中央位置を境としてその上部と下部とが上下方向に対称形状をなしている。
【００８３】
この例のゴムブロック１４は、真中の成形部３０が楕円形状部６０によって（即ち４つの円弧状部６２によって）、更には左端の成形部３０及び右端の成形部３０におけるリブ６４，６６によって補強された構造をなしており、その結果として、この例のゴムブロック２８は真中の成形部３０が左右方向に圧縮変形し難く、相対的に左端の成形部３０及び右端の成形部３０が特に変曲部３４，３８の部位において左右方向に圧縮変形し易い形状をなしている。
【００８４】
図１５はかかるゴムブロック２８が左右方向に圧縮されたときの変形状態を模式的に表している。
例えば図３〜図７に示す例のゴムブロック２８の場合、それらを目地溝１４内部に充填して目地材１６を構成したとき、上記のように溝幅が狭小変化して目地材１６に左右方向の圧縮力が加わったとき、真中の成形部に対して下向きの力が働く結果、真中の成形部が上向きに突き出すのが良好に防止される。
【００８５】
しかしながら一方において左端の成形部３０と右端の成形部３０、特に溝側面に接する左端と右端の側壁部２０については、その反力として上向きの力が働くこととなる。
通常、目地溝１４の溝側面とそれらに接する側壁部２０との間には大きな摩擦力が働いていて、そのような反力が生じたとしても左端の側壁部２０及び右端の側壁部２０が上向きに押し上げられるといったことは生じないが、溝側面が滑り易い状態、例えば雨が降ってそこに水膜が成形されているようなとき、場合によってそれら左端の側壁部２０，右端の側壁部２０が図１６に示しているように反力によって上向きに押し上げられる恐れが生ずる。
【００８６】
しかるに図１２〜図１５に示すゴムブロック２８から成る目地材１６の場合、ゴムブロック２８に対して左右方向に圧縮力が加わったとき、左端の成形部３０と右端の成形部３０が優先的に、特に変曲部３４，３８の部位において優先的に左右方向に圧縮変形して、その圧縮力を良好に吸収するのに加えて、真中の成形部３０が全体的にほぼ均等に補強されており且つゴムブロック２８全体が上下方向に対称形状をなしているため、目地溝１４の溝幅が狭小変化してゴムブロック２８に対し左右方向の圧縮力が働いても、真中の成形部３０及び左，右端の成形部３０に対し上向きの押上げ力や下向きの押下げ力が特に生ずるといったことがない。
【００８７】
このため、これらゴムブロック２８から成る目地材１６の場合、図１７に示しているように目地溝１４における一対の溝側面によって目地材１６に対し左右方向の圧縮力が働いても、各ゴムブロック２８が目地溝１４内部に良好に保持されて、真中の成形部３０或いは左端，右端の成形部３０が上向きに突き出すといった現象をより良好に防止できる。
【００８８】
以上本発明の実施例を詳述したがこれはあくまで一例示である。
例えば本発明においては上例以外の他の様々な形態でゴムブロックや目地材を構成することが可能であるし、また上記実施例では何れも目地溝１４の内部全体をゴムブロックで埋めるようにしているが、場合によってゴムシート等のスペーサ材をゴムブロックと組み合せて目地溝１４内部を全体的に埋めるように目地材１６を構成することも可能である。
【００８９】
更に上記第１の実施例では左端の成形部３０と右端の成形部３０とに斜めのリブ４０を設けて、そのリブ４０の作用により真中の成形部３０に対し下向きの力を作用させるようにしているが、本発明においては他の様々な形態で真中の成形部３０に対し下向きの力を及ぼすようになすことも可能である。
【００９０】
また上記実施例では成形部３０を目地溝１４内部において左右方向に３つ並べているが、場合によって成形部を２つだけ並べたり或いは１つとしたり、逆に４つ以上成形部を並べて目地材１６を構成したりすることも可能であるなど、本発明はその主旨を逸脱しない範囲において様々な変更を加えた形態で構成可能である。
【図面の簡単な説明】
【図１】本発明の一実施例を示す図である。
【図２】図１の実施例の問題点の説明図である。
【図３】本発明の他の実施例の図である。
【図４】図３の実施例の目地材を目地溝に挿入する前の状態且つ各ゴムブロックに分解した状態で示す図である。
【図５】図４のゴムブロックの構成を示す図である。
【図６】図５のゴムブロックの作用説明図である。
【図７】図５のゴムブロックの図６とは異なる作用説明図である。
【図８】本発明の他の実施例におけるゴムブロックの構成を示す図である。
【図９】本発明の他の実施例の図である。
【図１０】図９のゴムブロックの構成を示す図である。
【図１１】本発明の更に他の実施例の図である。
【図１２】本発明の更に他の実施例の図である。
【図１３】図１２の実施例の目地材を目地溝に挿入する前の状態且つ各ゴムブロックに分解した状態で示す図である。
【図１４】図１３のゴムブロックの構成を示す図である。
【図１５】図１４のゴムブロックの作用説明図である。
【図１６】図５のゴムブロックから成る目地材の作用説明図である。
【図１７】図１４のゴムブロックから成る目地材の作用説明図である。
【図１８】従来公知の目地材とその不具合の説明図である。
【符号の説明】
１２  コンクリート版
１４  目地溝
１６  伸縮目地材
１８  成形部
２０  側壁部
２２  上壁部
２４  下壁部
２８  ゴムブロック
３０  成形部
３４，３８，４６，５２  変曲部
４０，４２，４８，５４，５６，６４，６６  リブ
【図１】
2004150133.tif 000003
【図２】
2004150133.tif 000004
【図３】
2004150133.tif 000005
【図４】
2004150133.tif 000006
【図５】
2004150133.tif 000007
【図６】
2004150133.tif 000008
【図７】
2004150133.tif 000009
【図８】
2004150133.tif 000010
【図９】
2004150133.tif 000011
【図１０】
2004150133.tif 000012
【図１１】
2004150133.tif 000013
【図１２】
2004150133.tif 000014
【図１３】
2004150133.tif 000015
【図１４】
2004150133.tif 000016
【図１５】
2004150133.tif 000017
【図１６】
2004150133.tif 000018
【図１７】
2004150133.tif 000019
【図１８】
2004150133.tif 000020